(57)【特許請求の範囲】
【請求項１】
内容物の充填空間に繋がる口部を有する容器本体と、該容器本体の口部に設けられる注出栓とを備え、該注出栓を詰替えるべき容器の口部に挿入して該充填空間内の内容物を移し替える詰替え容器であって、
前記注出栓は、前記容器本体の口部に装着されるベースと、該ベースに揺動可能に保持される筒体とを備え、
該ベースは、充填空間内の内容物を排出する排出口と、充填空間内に空気を導入する通気口とをそれぞれ有し、前記容器本体の底部に向けて伸延し該通気口と連通する空気置換用パイプを備え、
前記筒体は、該筒体を引き起こした倒立姿勢にて該排出口と連通する注出路及び該通気口と連通する通気路のそれぞれを区画形成する仕切壁を備え、該筒体を引き倒した閉鎖姿勢にてそれらの連通が前記筒体の外周壁により遮断され、
前記筒体の前記外周壁に、前記通気路と連通して空気を導入する貫通孔を設け、前記仕切壁に、該貫通孔、及び前記通気路を前記通気口に連通させる通気連通口を残して該通気路を閉鎖する閉鎖壁を設け、
前記貫通孔は、前記容器本体を傾動する際の回転軸線に平行な方向に開口することを特徴とする詰替え容器。
【請求項２】
前記筒体の外周壁に、前記ベースに設けた係合部に連係して該筒体の閉鎖姿勢を維持する被係合部を設け、該係合部又は該被係合部の何れか一方に、連係の解除時に破断する弱化部を形成した請求項１に記載の詰替え容器。
【発明の詳細な説明】
【技術分野】
【０００１】
本発明は、内容物の充填空間に繋がる口部を有する容器本体と、この容器本体の口部に設けられる注出栓とを備える詰替え容器に関し、特に、容易かつスムーズな詰替え作業を実現しようとするものである。
【背景技術】
【０００２】
シャンプーやリンス、洗剤、消臭除菌剤あるいは化粧品などを入れる容器は、内容物の適量取り出しを可能とするために、ポンプのような吐出器が容器の口部に装着されて市場を流通しており、内容物を使いきった後は、別途に市販されている詰替え容器から新たな内容物を移し替えて元の容器（詰替えるべき容器）を再利用することによって資源の有効活用が図られている。
【０００３】
ところで、詰替え容器は、パウチタイプの容器や薄肉のブロー成形容器など剛性の低い容器が適用されることが多いため変形し易く、内容物の詰替えが行い難いばかりか内容物が手指に付着するおそれもあった。この問題を解消するため、特許文献１には、容器本体の口部に、該口部に係合保持されるベースと、該ベースに回動可能に保持されその引き起こしによる起立姿勢でベースに形成した開口部と整列して内容物の注出を可能にする筒体と、からなる注出栓を装着してなる詰替え容器が開示されている。そして、このような詰替え容器によれば、詰替えが行われる容器の口部に、注出栓の筒体を引っ掛けて当該筒体を引き起こすだけで詰替え容器内の内容物を移し替えることができる、とする。
【先行技術文献】
【特許文献】
【０００４】
【特許文献１】特開２０１１−１５７０９６号公報
【発明の概要】
【発明が解決しようとする課題】
【０００５】
ところで、特許文献１にて提案された詰替え容器は、容器全体を逆さにした状態で内容物の注出を行うに当たり、内容物の注出により内部が減圧化して内容物のスムーズな注出を行い得ない場合があり、使い勝手の点で改善の余地があった。
【０００６】
本発明の課題は、詰替え作業時に内容物が手指に付着するなどの不具合を起こすことなしに、容易かつスムーズに内容物を移し替えることができて使い勝手が良い詰替え容器を提案するところにある。
【課題を解決するための手段】
【０００７】
本発明は、内容物の充填空間に繋がる口部を有する容器本体と、該容器本体の口部に設けられる注出栓とを備え、該注出栓を詰替えるべき容器の口部に挿入して該充填空間内の内容物を移し替える詰替え容器であって、
前記注出栓は、前記容器本体の口部に装着されるベースと、該ベースに揺動可能に保持される筒体とを備え、
該ベースは、充填空間内の内容物を排出する排出口と、充填空間内に空気を導入する通気口とをそれぞれ有し、前記容器本体の底部に向けて伸延し該通気口と連通する空気置換用パイプを備え、
前記筒体は、該筒体を引き起こした倒立姿勢にて該排出口と連通する注出路及び該通気口と連通する通気路のそれぞれを区画形成する仕切壁を備え、該筒体を引き倒した閉鎖姿勢にてそれらの連通が前記筒体の外周壁により遮断され、
前記筒体の前記外周壁に、前記通気路と連通して空気を導入する貫通孔を設け、前記仕切壁に、該貫通孔、及び前記通気路を前記通気口に連通させる通気連通口を残して該通気路を閉鎖する閉鎖壁を設け、
前記貫通孔は、前記容器本体を傾動する際の回転軸線に平行な方向に開口することを特徴とする詰替え容器である。
【０００８】
前記筒体の外周壁に、前記ベースに設けた係合部に連係して該筒体の閉鎖姿勢を維持する被係合部を設け、該係合部又は該被係合部の何れか一方に、連係の解除時に破断する弱化部を形成することが好ましい。
【発明の効果】
【００１０】
内容物を充填する容器本体、及びこの容器本体の口部に設けられる注出栓からなる詰替え容器において、この注出栓を、口部に装着されるベース、及びベースに揺動可能に保持される筒体にて構成し、ベースに、内容物の排出口と空気を導入する通気口とをそれぞれ設けるとともに、この通気口と連通する空気置換用パイプを設け、筒体に、該筒体を引き起こした倒立姿勢にて排出口と連通する注出路及び通気口と連通する通気路のそれぞれを区画形成する一方、該筒体を引き倒した閉鎖姿勢にてそれらの連通が遮断される仕切壁を設けたので、筒体の倒立姿勢にて内容物を排出させるに伴い、充填空間内に空気を導入して内容物と空気とを置換させることが可能となり、内容物をスムーズに注出させることができる。特に、仕切壁によって注出路と通気路とは区画されているので、注出中の内容物によって空気の導入が妨げられることがない。
【００１１】
上述した特許文献１に記載のものでは、筒体を引き倒すことで充填空間内を閉鎖することができるものの、筒体が不用意に引き起こされると内容物が意図せず注出されてしまうおそれがあり、使い勝手の点で改善の余地が残されていたが、筒体の外周壁に、ベースに設けた係合部に連係して筒体の閉鎖姿勢を維持する被係合部を設け、該係合部又は該被係合部の何れか一方に、連係の解除時に破断する弱化部を形成する場合は、筒体の不用意な引き起こしに伴う内容物の所期せぬ注出を、有効に防止することができるのでより好ましい。
【００１２】
特に粘度の高い内容物を詰替えるに当たっては、注出された内容物が筒体の先端部周辺に残留して通気路入口を塞いでしまうおそれがあるが、筒体の外周壁に、通気路と連通して空気を導入する貫通孔を設け、仕切壁に、貫通孔、及び通気路を通気口に連通させる通気連通口を残してこの通気路を閉鎖する閉鎖壁を設ける場合は、たとえ粘度の高い内容物であっても空気の導入が妨げられることがない。
【図面の簡単な説明】
【００１３】
【図１】本発明に従う詰替え容器の実施の形態を、筒体を引き倒した閉鎖姿勢で示す、（ａ）は側面視での部分断面図であり、（ｂ）は（ａ）の部分拡大断面図である。
【図２】詰替えるべき容器の一例を示す側面図である。
【図３】吐出器を取り外した図２に示す詰替えるべき容器の口部に、図１に示す詰替え容器の注出栓を挿入し、筒体の先端部と筒体の外面に設けたリブとを詰替えるべき容器の口部内面に当接させた状態を示す部分拡大断面図である。
【図４】図３に示す状態から詰替え容器を傾けて、ベースの係合部と筒体の被係合部との連係が解除されて、被係合部が破断した直後の状態を示す部分拡大断面図である。
【図５】図４に示す詰替え容器において、筒体の引き起こしが完了し、筒体の倒立姿勢にて内容物の詰替えが行われている状態を示す部分拡大断面図である。
【図６】本発明に従う他の詰替え容器の実施の形態を、筒体を引き倒した閉鎖姿勢で示す、（ａ）は側面視での部分断面図であり、（ｂ）は（ａ）の部分拡大断面図である。
【図７】吐出器を取り外した図２に示す詰替えるべき容器の口部に、図６に示す詰替え容器の注出栓を挿入し、筒体の先端部と筒体の外面に設けたリブとを詰替えるべき容器の口部内面に当接させた状態を示す部分拡大断面図である。
【図８】図７に示す状態から詰替え容器を傾けて、ベースの係合部と筒体の被係合部との連係が解除されて、被係合部が破断した直後の状態を示す部分拡大断面図である。
【図９】図８に示す詰替え容器において、筒体の引き起こしが完了し、筒体の倒立姿勢にて内容物の詰替えが行われている状態を示す部分拡大断面図である。
【発明を実施するための形態】
【００１４】
以下、図面を参照して、本発明をより具体的に説明する。
図１は、本発明に従う詰替え容器の実施の形態を、筒体を引き倒した閉鎖姿勢で示す、（ａ）は側面視での部分断面図であり、（ｂ）は（ａ）の部分拡大断面図である。
【００１５】
図１（ａ）において、符号１は詰替え用の内容物を収容する容器本体である。容器本体１は、底部１０ａから立ち上がる筒状の胴部１０ｂを有し、肩部１０ｃを介して上部を開口させた口部１０ｄを備えている。口部１０ｄの外周面には、図示の例では外側に向けて凸となる係合部１０ｅが設けられている。また、容器本体１の内側には、内容物の充填空間Ｍが区画形成されている。容器本体１としては、注出による内容物の減少に伴って容器本体１そのものの減容を可能とする袋状ないし薄肉のブローボトル、あるいは人の把持によって変形及び復元可能なスクイズ容器を用いることができるが、これらに限定されず、内容物の注出に際して容器本体１を変形させない剛性の大きいボトルを用いることもできる。
【００１６】
また、符号２は、容器本体１の口部１０ｄに設けられる注出栓である。図１（ａ）に示すように注出栓２は、容器本体１の口部１０ｄに装着されるベース２０と、ベース２０に揺動可能に保持されてその先端から内容物を注出する筒体２１と、からなる。なお、図示の例で筒体２１は、断面形状が矩形状となるものであるが、正方形状でも円形状であってもよい。
【００１７】
ベース２０は、口部１０ｄを覆う天壁２０ａの外側端縁に、口部１０ｄの外周面を取り囲む周壁２０ｂを一体連結するとともに、周壁２０ｂの内周面に、口部１０ｄの係合部１０ｅに係合する爪状の被係合部２０ｃを備えていて、ベース２０は、アンダーカット係合にて口部１０ｄに装着されている。なお、アンダーカット係合に代えてねじ係合にて装着するようにしてもよい。周壁２０ｂの内側には、口部１０ｄの内周面に液密に当接する環状のシール壁２０ｄが設けられている。また、周壁２０ｂの外側には、周壁２０ｂと２箇所で連結するアーチ状の係合部ｋが設けられ、さらにこの係合部ｋには、図示は省略するが局所的に薄肉となる弱化部が形成されている。
【００１８】
また、天壁２０ａには、図１（ｂ）に示すように、充填空間内の内容物を排出させる排出口２０ｅと、充填空間内に空気を導入する通気口２０ｆとの２つの貫通孔が設けられている。図示の例で、通気口２０ｆは天壁２０ａの中央付近に設けられ、排出口２０ｅは、筒体２１が引き倒されて横倒しになった姿勢（閉鎖姿勢）において、通気口２０ｆを挟んで筒体２１の後端側に設けられている。さらに、天壁２０ａの裏面には、通気口２０ｆを取り囲む環状の保持部２０ｇが設けられていて、容器本体１の底部１０ａに向けて伸延する空気置換用パイプ２２を嵌合保持している。ここで、空気置換用パイプ２２の長さは、充填空間Ｍ内に予定した量の内容物が充填されている状態で容器本体１を上下逆さまにした際、内容物の液面からこの空気置換用パイプ２２の末端が露出するように設定されている。また、排出口２０ｅ及び通気口２０ｆの近傍には、筒体２１と天壁２０ａとの間を摺動可能にシールする凸部ｔが設けられている。
【００１９】
そして、天壁２０ａの表面には、図１（ａ）から明らかなように、筒体２１の側部を挟んで立ち上がる一対の側壁２０ｈが設けられ、各側壁２０ｈの内側には、軸受け部２０ｊが設けられている。さらに、筒体２１の閉鎖姿勢において筒体２１の後端側には、一対の側壁２０ｈを相互に連結する連結部２０ｋが形成されている。
【００２０】
また、筒体２１は、それぞれの側壁２０ｈに向けて突出し、軸受け部２０ｊに揺動可能に支持される一対の軸部２１ａを備えている。筒体２１の内側には、筒体２１の軸線方向に延在する仕切壁２１ｂが設けられている。これにより筒体２１の内側には、先端側に注出口２１ｃを有し後端側に注出連通口２１ｄを有する注出路２１ｅと、先端側に空気導入口２１ｆを有し後端側に通気連通口２１ｇを有する通気路２１ｈとが区画形成される。筒体２１の外周壁の頂部には、リブ２１ｊが設けられている。なお図示の例でリブ２１ｊは、筒体２１の軸線に沿って１本設けられているものであるが、複数本設けてもよい。さらに、筒体２１の外周壁の下部には、筒体２１の閉鎖姿勢において係合部ｋに連係する、図示の例では爪状となる被係合部ｋ’が設けられている。なお、係合部ｋを爪状とし、被係合部ｋ’を弱化部付きのアーチ状としてもよい。
【００２１】
ここで、詰替えるべき容器Ｃは、例えば図２に示すように、口部Ｃ１にポンプを備える吐出器Ｃ２を装着したものであって、内容物の詰替え作業に当たっては、吐出器Ｃ２を取り外しておく。
【００２２】
そして、図３に示すように、詰替えるべき容器Ｃの口部Ｃ１に、閉鎖姿勢の筒体２１を挿入した後、図中矢印で示す向き（筒体２１が引き起こされる向き）に容器本体１を傾けると、筒体２１は、筒体２１の先端部とリブ２１ｊとが口部Ｃ１の内面に当接して一時的に保持される。これにより、詰替えるべき容器Ｃが倒れないように保持された状態で、容器本体１を図中矢印で示す向きにさらに傾けていけば、相対的に筒体２１が引き起こされることになる。
【００２３】
そして、容器本体１を傾ける動作を継続することで、図４に示すように係合部ｋと被係合部ｋ’との連係が、弱化部が破断することによって解除され、筒体２１を、図５に示すように倒立姿勢に変移させることができる。これにより、排出口２０ｅと注出路２１ｅが連通し、通気口２０ｆと通気路２１ｈが連通するので、充填空間Ｍ内の内容物と空気とを置換することが可能となり、内容物がスムーズに注出される。特に、注出路２１ｅと通気路２１ｈの間は仕切壁２１ｂにて区画されているので、空気の導入が阻害されることがない。なお、筒体２１の倒立姿勢において、リブ２１ｊの後端側端部２１ｋが、ベース２０の連結部２０ｋと当接するようにリブ２１ｊの長さを定めておけば、この後端側端部２１ｋを筒体２１のストッパーとして機能させることができる。
【００２４】
図６は、本発明に従う他の詰替え容器の実施の形態を、筒体を引き倒した閉鎖姿勢で示す、（ａ）は側面視での部分断面図であり、（ｂ）は（ａ）の部分拡大断面図である。なお、上述した図１に示す詰替え容器と共通する構成については、同一の符号を付して説明は省略する。
【００２５】
図６（ａ）において、筒体２１の外周壁には、この筒体２１の側方から貫く貫通孔２１ｍが形成されていて、さらに軸線方向に延在する仕切壁２１ｂは、貫通孔２１ｍを取り囲み、筒体２１の先端に至る手間で筒体２１の内面と閉鎖壁２１ｎを介して連結している。これにより通気口２０ｆには、図１（ａ）に示す空気導入口２１ｆに代えて図６（ａ）に示す貫通孔２１ｍから空気が導入される。
【００２６】
上記のように構成される他の詰替え容器は、図７示すように、閉鎖姿勢の筒体２１を詰替えるべき容器Ｃの口部Ｃ１に挿入した後、図中矢印で示す向きに容器本体１を傾けることで筒体２１が一時的に保持され、更に容器本体１を傾ける動作を継続することで、図８に示すように係合部ｋと被係合部ｋ’との連係が、弱化部が破断することによって解除され、筒体２１を、図９に示すように倒立姿勢に変移させることができる。これにより貫通孔２１ｍを通して充填空間Ｍ内に空気を導入することができるので、内容物をスムーズに排出することができる。特に内容物の粘度が高くなると、注出された内容物が筒体２１の先端部周辺に残留することがあるが、貫通孔２１ｍは、筒体２１の外周壁にその側方から穿孔して設けられているので、内容物が筒体２１の外側からも或いは内側からも、この貫通孔２１ｍに直接付着するおそれがなく、より安定的に内容物を注出させることができる。
【産業上の利用可能性】
【００２７】
本発明によれば、内容物が手指に付着するなどの不具合を起こすおそれがなく、特に、粘度が高い内容物であっても安定的かつスムーズに移し替えることができ、しかも不用意な内容物の注出を極力防止することができて使い勝手が良い詰替え容器を提案することができる。
【符号の説明】
【００２８】
１  容器本体
２  注出栓
１０ｄ  口部
１０ｅ  係合部
２０  ベース
２０ｃ  被係合部
２０ｅ  排出口
２０ｆ  通気口
２１  筒体
２１ｂ  仕切壁
２１ｅ  注出路
２１ｇ  通気連通口
２１ｈ  通気路
２１ｍ  貫通孔
２１ｎ  閉鎖壁
２２  空気置換用パイプ
Ｃ    詰替えるべき容器
Ｃ１  詰替えるべき容器の口部
ｋ    係合部
ｋ’  被係合部
Ｍ    充填空間
【図１】
0005823253.tif 000002
【図２】
0005823253.tif 000003
【図３】
0005823253.tif 000004
【図４】
0005823253.tif 000005
【図５】
0005823253.tif 000006
【図６】
0005823253.tif 000007
【図７】
0005823253.tif 000008
【図８】
0005823253.tif 000009
【図９】
0005823253.tif 000010